【事件の表示】
　特願２００８−３０１６９２「インダクタ部品アレイ、及び部品間のクロストークを低減できる薄膜コモンモードフィルタアレイの製造方法」拒絶査定不服審判事件〔平成２２年　６月１０日出願公開、特開２０１０−１２９７０２〕について、次のとおり審決する。
【結　論】
　本件審判の請求は、成り立たない。
【理　由】
１．手続の経緯
　本願は、平成２０年１１月２６日の出願であって、平成２４年６月１日付け拒絶理由通知に対する応答時、同年８月２日付けで手続補正がなされたが、平成２５年２月２０日付けで拒絶査定がなされ、これに対して、同年５月２２日付けで拒絶査定不服審判請求がなされたものである。
　
２．本願発明
　本願の請求項１に係る発明（以下、「本願発明」という。）は、平成２４年８月２日付け手続補正書により補正された特許請求の範囲の請求項１に記載された、次のとおりのものである。
「【請求項１】
　並列配置された第１及び第２のインダクタ部品と、
　前記第１及び第２のインダクタ部品の一方端部を連結する磁性体基体とを備え、
　前記磁性体基体には、前記第１及び第２のインダクタ部品の間に位置する部分に実質的にループコイルが形成され、
　前記第１及び第２のインダクタ部品はともにコモンモードフィルタであり、
　当該インダクタ部品アレイは、積層構造の素体を備え、
　前記素体の第１の層には第１及び第２の平面スパイラル導体が形成され、
　前記素体の第２の層には第３及び第４の平面スパイラル導体が形成され、
　前記第１のインダクタ部品は、前記第１及び第３の平面スパイラル導体によって構成され、
　前記第２のインダクタ部品は、前記第２及び第４の平面スパイラル導体によって構成され、
　前記磁性体基体は前記素体の積層方向に垂直な面に接着されており、
　前記ループコイルは、前記素体の第３の層に形成された導体パターンを含んで構成され、
　前記第３の層は、前記第１及び第２の層より前記磁性体基体に近い位置に配置されることを特徴とするインダクタ部品アレイ。」
　
３．引用列
　これに対して、原査定の拒絶の理由に引用された特開２００６−９３６０３号公報（以下、「引用例」という。）には、「積層型コモンモードチョークコイルアレイ」として、図面とともに以下の各記載がある（なお、下線は当審で付与した）。
（１）「【請求項１】
　
複数の非磁性絶縁材料を積層し、これら非磁性絶縁材料の各別のものに複数の内部導体によって構成されるコモンモードチョークコイルが複数形成されている非磁性絶縁材料層と、該非磁性絶縁材料層の積層方向の両端外面側に配置された磁性材料層とを有する積層型コモンモードチョークコイルアレイであって
　
前記複数のコモンモードチョークコイルが、前記積層方向と直交する方向に互いに隣接して設けられ
　
前記コモンモードチョークコイルの磁気結合によって生じる磁束に対して該磁束を妨げる逆向きの磁束を発生させる磁束発生導体が、互いに隣接する２つの前記コモンモードチョークコイルの間に配設されていることを特徴とする積層型コモンモードチョークコイルアレイ
　
（２）「【０００８】
　
この発明によれば、コモンモード時において各コモンモードチョークコイルで発生する磁束のうちの隣接する他のコモンモードチョークコイルに向かう成分が、隣接する他のコモンモードチョークコイルとの間に配設された磁束発生導体を通過する。ここで、磁束発生導体にその磁束が通過する際、磁束発生導体には、通過する磁束を妨げるように電磁誘導によって逆向きの磁束が発生する。これにより、各コモンモードチョークコイルで発生する磁束のうち、隣接する他のコモンモードチョークコイルに向かう成分が低減される
　
以上より、発生する磁束が隣り合う他のコモンモードチョークコイルに与える影響を低減し、効果的にクロストークを削減できる
　特に、コモンモードチョークコイルを３つ以上配置した場合であっても、磁束発生導体によって、同様に隣接する他のコモンモードチョークコイルに与える影響を低減できる。」 
　
（３）「【００１３】
　図１及び図２において、
積層型コモンモードチョークコイルアレイ１０は、シート状とした複数枚の非磁性絶縁材料及び磁性材料を積層して一体化した構成とされる
　図１に示す構成例では、
積層体とした積層型コモンモードチョークコイルアレイ１０の上下両端面側に、それぞれが１または複数層よりなる第１及び第２磁性材料層２１、２２を配置してある。そして、これら上下の第１及び第２磁性材料層２１、２２の間には、少なくとも４層よりなる非磁性絶縁材料層２３を配置してある
【００１４】
　
第１及び第２磁性材料層２１、２２は、それぞれが磁性材料２１ａ〜２１ｇ及び磁性材料２２ａ〜２２ｇを７層に積層した構成とされる
　なお、第１及び第２磁性材料層２１、２２については、上述した７層に限定されることはなく、磁性材料の種類や厚みに応じて適宜変更することができる。
　【００１５】
　
非磁性絶縁材料層２３は、上面側から非磁性絶縁材料２３ａ〜２３ｄの順にシート状の非磁性絶縁材料を４層積層した構成とされる
　なお、非磁性絶縁材料２３ａの積層方向上面側や非磁性絶縁材料２３ｄの積層方向下面側には、他の非磁性絶縁材料を諸条件に応じて設けてもよい。
【００１６】
　さて、上述した
４層の非磁性絶縁材料２３ａ〜２３ｄには、それぞれの上面に渦巻状導体３１ａ及び導体経路３１ｂで構成される第１内部導体３１と、渦巻状導体３２ａ及び導体経路３２ｂで構成される第２内部導体３２と、渦巻状導体３３ａ及び導体経路３３ｂで構成される第３内部導体３３と、渦巻状導体３４ａ及び導体経路３４ｂで構成される第４内部導体３４とが設けられている
　なお、これら第１から第４内部導体３１〜３４は、例えば銀などの導電体を印刷や転写などの周知の手法により形成したものである。
【００１７】
　このうち、
渦巻状導体３１ａは、非磁性絶縁材料２３ｂの上面に形成され、１ターン以上の渦巻状となっている
【００１８】
　また、
導体経路３１ｂは、非磁性絶縁材料２３ａの上面に形成されている
渦巻状導体３１ａと導体経路３１ｂとがスルーホールＨ１を介して電気的に接続されることで、上下に分離した状態でスパイラル巻きとした、いわゆる上下分離型スパイラル巻きの上側となる第１コイル導体３１が構成される
【００１９】
　そして、
渦巻状導体３２ａは、上述した渦巻状導体３１ａと同様に、非磁性絶縁材料２３ｃの上面に形成され、１ターン以上の渦巻状となっている
渦巻状導体３２ａは、上面視において渦巻状導体３１ａと重なると共に、その渦巻き方向が同方向となるように形成されている
【００２０】
　また、
導体経路３２ｂは、非磁性絶縁材料２３ｄの上面に形成されている
渦巻状導体３２ａと導体経路３２ｂとがスルーホールＨ２を介して電気的に接続されることで、上下分離型スパイラル巻きの下側となる第２コイル導体３２が構成される。そして、第１及び第２コイル導体３１、３２によって、１つのコモンモードチョークコイルが形成される
【００２１】
　さらに、
渦巻状導体３３ａは、渦巻状導体３１ａと重ならないように非磁性絶縁材料２３ｂの上面に形成され、１ターン以上の渦巻状となっている
【００２２】
　また、
導体経路３３ｂは、非磁性絶縁材料２３ａの上面に形成されている
渦巻状導体３３ａと導体経路３３ｂとがスルーホールＨ３を介して電気的に接続されることで、上下に分離した状態でスパイラル巻きとした、上下分離型スパイラル巻きの上側となる第３コイル導体３３が構成される
【００２３】
　そして、
渦巻状導体３４ａは、上述した渦巻状導体３３ａと同様に、渦巻状導体３２ａと重ならないように非磁性絶縁材料２３ｃの上面に形成され、１ターン以上の渦巻状となっている
渦巻状導体３４ａは、上面視において渦巻状導体３３ａと重なると共に、その渦巻き方向が同方向となるように形成されている
【００２４】
　また、
導体経路３４ｂは、非磁性絶縁材料２３ｄの上面に形成されている
渦巻状導体３４ａと導体経路３４ｂとがスルーホールＨ４を介して電気的に接続されることで、上下分離型スパイラル巻きの下側となる第４コイル導体３４が構成される。そして、第３及び第４コイル導体３３、３４によって、１つのコモンモードチョークコイルが形成される
【００２５】
　ここで、第１内部導体３１の導体長と第２の内部導体３２の導体長とが同じで、かつ、第１内部導体３１のうち磁気結合に寄与する導体長と、第２内部導体３２のうち磁気結合に寄与する導体長とが同じとされている。
　また、第３内部導体３３の導体長と第４内部導体３４の導体長とが同じで、かつ、第３内部導体３３のうち磁気結合に寄与する導体長と、第４内部導体３４のうち磁気結合に寄与する導体長とが同じとされている。
【００２６】
　また、
第１及び第２内部導体３１、３２によって構成されるコモンモードチョークコイルと第３及び第４内部導体３３、３４によって構成されるコモンモードチョークコイルとの間であって、磁性材料２１ｄから磁性材料２２ｄの積層方向にわたって、磁束発生導体４０が形成されている
　
磁束発生導体４０は、２つのコモンモードチョークコイルの配置方向である一方向と直交すると共に積層方向と平行な平面において、磁性材料２１ｄから非磁性絶縁材料２３ｂの積層方向にわたって設けられた第１リング４１と、第１リング４１と同様に、非磁性絶縁材料２３ｃから磁性材料２２ｄの積層方向にわたって設けられた第２リング４２とによって構成されている
【００２７】
　
第１リング４１は、磁性材料２１ｄの上面に形成された直線導体４１ａと、非磁性絶縁材料２３ｂの上面に形成された直線導体４１ｂとを備えており、これら直線導体４１ａ、４１ｂの端部をそれぞれスルーホールＨ５〜Ｈ１４を介して接続することによって形成されている
　直線導体４１ａ、４１ｂは、一方向と直交するように配置されており、その長さが渦巻状導体３１ａ、３３ａの一方向と直交する方向における長さ以上となっている。そして、
直線導体４１ａ、４１ｂは、それぞれの一端が、磁性材料２１ｄ〜２１ｇ、非磁性絶縁材料２３ａのそれぞれを貫通するように設けられたスルーホールＨ５〜Ｈ９を介して接続され、他端が、磁性材料２１ｄ〜２１ｇ、非磁性絶縁材料２３ａのそれぞれを貫通するように設けられたスルーホールＨ１０〜Ｈ１４を介して接続される
　
（４）「【００２９】
　以上のように構成された本発明の積層型コモンモードチョークコイルアレイ１０について、以下にその製造方法を説明する。
　最初に、所定の形状（例えば矩形状）としたシート状の磁性材料２１ｄ〜２１ｇ、２２ａ〜２２ｄ及び非磁性絶縁材料２３ａ〜２３ｄを作成する。次に、これら磁性材料２１ｄ〜２１ｇ、２２ａ〜２２ｄ及び非磁性絶縁材料２３ａ〜２３ｄの所定位置に、レーザ、パンチングなどの周知の手法を用いて穴あけ加工を施し、スルーホールＨ１〜Ｈ２４を設ける。
【００３０】
　次に、
非磁性絶縁材料２３ｂ、２３ｃの上面に、それぞれ１ターン以上の渦巻状導体２１ａ、３２ａ、３３ａ、３４ａ及び直線導体４１ｂ、４２ａを、印刷や転写などの周知の手法を用いて互いに短絡しないように形成し、非磁性絶縁材料２３ａ、２３ｄの上面に、それぞれ導体経路３１ｂ〜３４ｂを、同様に形成し
　
（５）「【００３４】
　このように構成された積層型コモンモードチョークコイルアレイ１０のコモンモード時における磁気結合について、図３を用いて説明する。
　まず、第
１及び第２内部導体３１、３２が、互いに影響しあって磁気結合する。ここで、磁気結合による磁束には、第３及び第４内部導体３３、３４によって構成されるコモンモードチョークコイルに向かう成分がある。しかし、この磁束が第１及び第２リング４１、４２を通過するときに、第１及び第２リング４１、４２のそれぞれにおいて、この磁束に対して磁束を妨げるように電磁誘導によって逆向きの磁束が発生する。これにより、第３及び第４内部導体３３、３４に向かう磁束の成分が低減される。したがって、第１及び第２内部導体３１、３２で構成されるコモンモードチョークコイルによる磁束は、図３に示す矢印Ｚ１の方向で主に発生する
　また、
第３及び第４内部導体３３、３４が、互いに影響しあって磁気結合する。このとき、磁気結合による磁束は、矢印Ｚ１と同様に、矢印Ｚ２の方向で主に発生する
　
　特に、第１の実施形態に係るものであって、磁束発生導体４０を構成する第１リング４１と第２リング４２のうち、「第１リング」に着目し、上記記載事項及び図面を総合勘案すると、引用例には、次の発明（以下、「引用発明」という。）が記載されている。 
「上面側から順にシート状の非磁性絶縁材料２３ａ〜２３ｄを４層積層し、これら非磁性絶縁材料２３ａ〜２３ｄの各別のものに複数のコイル導体によって構成される２つのコモンモードチョークコイルが積層方向と直交する方向に互いに隣接して形成されている非磁性絶縁材料層と、当該非磁性絶縁材料層の積層方向の上下両端外面側にそれぞれ配置され、それぞれがシート状の磁性材料２１ａ〜２１ｇ及び磁性材料２２ａ〜２２ｇを上面側から順に７層ずつ積層した第１及び第２磁性材料層とを有する積層型コモンモードチョークコイルアレイであって、
　前記非磁性絶縁材料２３ｂの上面には渦巻状導体３１ａと、当該渦巻状導体３１ａと重ならないように渦巻状導体３３ａが形成され、
　前記非磁性絶縁材料２３ｃの上面には渦巻状導体３２ａと、当該渦巻状導体３２ａと重ならないように渦巻状導体３４ａが形成され、
　前記非磁性絶縁材料２３ａの上面には導体経路３１ｂと導体経路３３ｂがそれぞれ形成され、
　前記非磁性絶縁材料２３ｄの上面には導体経路３２ｂと導体経路３４ｂがそれぞれ形成され、
　前記渦巻状導体３１ａと前記導体経路３１ｂとがスルーホールを介して電気的に接続されることで、上下分離型スパイラル巻きの上側となる第１コイル導体が構成され、また、前記渦巻状導体３２ａと前記導体経路３２ｂとがスルーホールを介して電気的に接続されることで、上下分離型スパイラル巻きの下側となる第２コイル導体が構成され、そして、これら第１及び第２コイル導体によって、一方の前記コモンモードチョークコイルが形成され、
　前記渦巻状導体３３ａと前記導体経路３３ｂとがスルーホールを介して電気的に接続されることで、上下分離型スパイラル巻きの上側となる第３コイル導体が構成され、また、前記渦巻状導体３４ａと前記導体経路３４ｂとがスルーホールを介して電気的に接続されることで、上下分離型スパイラル巻きの下側となる第４コイル導体が構成され、そして、これら第３及び第４コイル導体によって、他方の前記コモンモードチョークコイルが形成され、
　前記コモンモードチョークコイルの磁気結合によって生じる磁束に対して該磁束を妨げる逆向きの磁束を発生させる磁束発生導体が、互いに隣接する前記２つのコモンモードチョークコイルの間に配設され、
　前記磁束発生導体は、前記磁性材料２１ｄから前記非磁性絶縁材料２３ｂの積層方向にわたって設けられた第１リングと、前記非磁性絶縁材料２３ｃから前記磁性材料２２ｄの積層方向にわたって設けられた第２リングとによって構成され、
　前記第１リングは、前記磁性材料２１ｄの上面に形成された直線導体４１ａと、前記非磁性絶縁材料２３ｂの上面に形成された直線導体４１ｂとを備えており、これら直線導体４１ａ、４１ｂのそれぞれの端部を前記磁性材料２１ｄ〜２１ｇ、前記非磁性絶縁材料２３ａのそれぞれを貫通するように設けられたスルーホールを介して接続することによって形成されており、
　各コモンモードチョークコイルで発生する磁束のうち、隣接する他のコモンモードチョークコイルに向かう成分を低減し、効果的にクロストークを削減できるようにした積層型コモンモードチョークコイルアレイ。」 
　
４．対比
　そこで、本願発明と引用発明とを対比すると、
（１）引用発明における「２つのコモンモードチョークコイル」は、本願発明における「コモンモードフィルタ」である「第１及び第２のインダクタ部品」に相当し、
　引用発明における、シート状の非磁性絶縁材料２３ａ〜２３ｄを４層積層した「非磁性絶縁材料層」が、本願発明における「積層構造の素体」に相当し、引用発明における、非磁性絶縁材料層の上面側に積層配置される「第１磁性材料層」が、本願発明における「磁性体基体」に相当するとみることができ、
　そして、引用発明における「積層型コモンモードチョークコイルアレイ」は、本願発明における「インダクタ部品アレイ」に相当し、
　したがって、引用発明における「上面側から順にシート状の非磁性絶縁材料２３ａ〜２３ｄを４層積層し、これら非磁性絶縁材料２３ａ〜２３ｄの各別のものに複数のコイル導体によって構成される２つのコモンモードチョークコイルが積層方向と直交する方向に互いに隣接して形成されている非磁性絶縁材料層と、当該非磁性絶縁材料層の積層方向の上下両端外面側にそれぞれ配置され、それぞれがシート状の磁性材料２１ａ〜２１ｇ及び磁性材料２２ａ〜２２ｇを上面側から順に７層ずつ積層した第１及び第２磁性材料層とを有する積層型コモンモードチョークコイルアレイであって」によれば、第１磁性材料層が、積層方向と直交する方向に互いに隣接して形成された、すなわち並列配置された２つのコモンモードチョークコイルの一方端部を連結する（つまり、２つのコモンモードチョークコイルに対する磁路として働く）ものであることは自明といえ、また、当該第１磁性材料層を非磁性絶縁材料層の上面側に積層配置するに際して、一体化するよう「接着」することも自明といえることであるから、
　本願発明と引用発明とは、「並列配置された第１及び第２のインダクタ部品と、前記第１及び第２のインダクタ部品の一方端部を連結する磁性体基体とを備え」る点、「前記第１及び第２のインダクタ部品はともにコモンモードフィルタであり、当該インダクタ部品アレイは、積層構造の素体を備え」る点、及び「前記磁性体基体は前記素体の積層方向に垂直な面に接着されており」の点で一致する。
　
（２）引用発明における、非磁性絶縁材料層を構成するシート状の４層の非磁性絶縁材料２３ａ〜２３ｄのうちの「非磁性絶縁材料２３ｂ」、「非磁性絶縁材料２３ｃ」が、それぞれ本願発明における、素体の「第１の層」、素体の「第２の層」に相当するとみると、
　引用発明における、非磁性絶縁材料２３ｂの上面に形成された「渦巻状導体３１ａ」及び「渦巻状導体３３ａ」、非磁性絶縁材料２３ｃの上面に形成された「渦巻状導体３２ａ」及び「渦巻状導体３４ａ」が、それぞれ本願発明における「第１及び第２の平面スパイラル導体」、「第３及び第４の平面スパイラル導体」に相当し、
　引用発明における「前記非磁性絶縁材料２３ｂの上面には渦巻状導体３１ａと、当該渦巻状導体３１ａと重ならないように渦巻状導体３３ａが形成され、前記非磁性絶縁材料２３ｃの上面には渦巻状導体３２ａと、当該渦巻状導体３２ａと重ならないように渦巻状導体３４ａが形成され、前記非磁性絶縁材料２３ａの上面には導体経路３１ｂと導体経路３３ｂがそれぞれ形成され、前記非磁性絶縁材料２３ｄの上面には導体経路３２ｂと導体経路３４ｂがそれぞれ形成され、前記渦巻状導体３１ａと前記導体経路３１ｂとがスルーホールを介して電気的に接続されることで、上下分離型スパイラル巻きの上側となる第１コイル導体が構成され、また、前記渦巻状導体３２ａと前記導体経路３２ｂとがスルーホールを介して電気的に接続されることで、上下分離型スパイラル巻きの下側となる第２コイル導体が構成され、そして、これら第１及び第２コイル導体によって、一方の前記コモンモードチョークコイルが形成され、前記渦巻状導体３３ａと前記導体経路３３ｂとがスルーホールを介して電気的に接続されることで、上下分離型スパイラル巻きの上側となる第３コイル導体が構成され、また、前記渦巻状導体３４ａと前記導体経路３４ｂとがスルーホールを介して電気的に接続されることで、上下分離型スパイラル巻きの下側となる第４コイル導体が構成され、そして、これら第３及び第４コイル導体によって、他方の前記コモンモードチョークコイルが形成され」によれば、「一方の前記コモンモードチョークコイル」は、主に渦巻状導体３１ａからなる上下分離型スパイラル巻きの上側となる第１コイル導体と、主に渦巻状導体３２ａからなる上下分離型スパイラル巻きの下側となる第２コイル導体とで構成されるものであることから、本願発明における「第１のインダクタ部品」に相当し、同様に、「他方の前記コモンモードチョークコイル」は、主に渦巻状導体３３ａからなる上下分離型スパイラル巻きの上側となる第３コイル導体と、主に渦巻状導体３４ａからなる上下分離型スパイラル巻きの下側となる第４コイル導体とで構成されるものであることから、本願発明における「第２のインダクタ部品」に相当するといえ、
　本願発明と引用発明とは、「前記素体の第１の層には第１及び第２の平面スパイラル導体が形成され、前記素体の第２の層には第３及び第４の平面スパイラル導体が形成され、前記第１のインダクタ部品は、前記第１及び第３の平面スパイラル導体によって構成され、前記第２のインダクタ部品は、前記第２及び第４の平面スパイラル導体によって構成され」る点で一致する。
　
（３）引用発明における、磁束発生導体を構成する「第１リング」は、本願発明における「ループコイル」に相当し、
　引用発明における、非磁性絶縁材料２３ｂの上面に形成された「直線導体４１ｂ」が、本願発明における「導体パターン」に相当し、
　引用発明における「前記コモンモードチョークコイルの磁気結合によって生じる磁束に対して該磁束を妨げる逆向きの磁束を発生させる磁束発生導体が、互いに隣接する前記２つのコモンモードチョークコイルの間に配設され、前記磁束発生導体は、前記磁性材料２１ｄから前記非磁性絶縁材料２３ｂの積層方向にわたって設けられた第１リングと、前記非磁性絶縁材料２３ｃから前記磁性材料２２ｄの積層方向にわたって設けられた第２リングとによって構成され、前記第１リングは、前記磁性材料２１ｄの上面に形成された直線導体４１ａと、前記非磁性絶縁材料２３ｂの上面に形成された直線導体４１ｂとを備えており、これら直線導体４１ａ、４１ｂのそれぞれの端部を前記磁性材料２１ｄ〜２１ｇ、前記非磁性絶縁材料２３ａのそれぞれを貫通するように設けられたスルーホールを介して接続することによって形成されており、各コモンモードチョークコイルで発生する磁束のうち、隣接する他のコモンモードチョークコイルに向かう成分を低減し、効果的にクロストークを削減できるようにした」によれば、磁束発生導体を構成する「第１リング」によって低減される他のコモンモードチョークコイルに向かう磁束成分は、技術常識として主に第１磁性材料層を磁路として通過するものであることをも考慮すると、当該「第１リング」は、実質的に第１磁性材料層に形成されているということができ、
　本願発明と引用発明とは、「前記磁性体基体には、前記第１及び第２のインダクタ部品の間に位置する部分に実質的にループコイルが形成され」ている点で一致し、また、「前記ループコイルは、前記素体の所定の層に形成された導体パターンを含んで構成され」る点で共通するといえる。
　
　よって、本願発明と引用発明とは、
「並列配置された第１及び第２のインダクタ部品と、
　前記第１及び第２のインダクタ部品の一方端部を連結する磁性体基体とを備え、
　前記磁性体基体には、前記第１及び第２のインダクタ部品の間に位置する部分に実質的にループコイルが形成され、
　前記第１及び第２のインダクタ部品はともにコモンモードフィルタであり、
　当該インダクタ部品アレイは、積層構造の素体を備え、
　前記素体の第１の層には第１及び第２の平面スパイラル導体が形成され、
　前記素体の第２の層には第３及び第４の平面スパイラル導体が形成され、
　前記第１のインダクタ部品は、前記第１及び第３の平面スパイラル導体によって構成され、
　前記第２のインダクタ部品は、前記第２及び第４の平面スパイラル導体によって構成され、
　前記磁性体基体は前記素体の積層方向に垂直な面に接着されており、
　前記ループコイルは、前記素体の所定の層に形成された導体パターンを含んで構成されることを特徴とするインダクタ部品アレイ。」
である点で一致し、次の点で相違する。
［相違点］
　ループコイルを構成する導体パターンが形成される素体の所定の層について、本願発明では、「前記第１及び第２の層より前記磁性体基体に近い位置に配置される」「第３の層」であるのに対し、引用発明では、非磁性絶縁材料２３ｂ（つまり第１の層）である点。
　
５．判断
　上記相違点について検討する。
　引用発明では、第１リングを構成する導体パターンである直線導体４１ｂは、製造工程削減のために同じ非磁性絶縁材料２３ｂの上面に形成される渦巻状導体３１ａや渦巻状導体３３ａなどの他の導体パターンと一緒に形成されるのが技術常識といえる（なお、上記「３．（４）」中、段落【００３０】参照）ものであるところ、この非磁性絶縁材料２３ｂの上面に積層される、すなわち、より第１磁性材料層に近い非磁性絶縁材料２３ａにあっても、その上面には導体経路３１ｂや導体経路３３ｂなどの導体パターンが形成されることから、非磁性絶縁材料２３ｂに代えて当該非磁性絶縁材料２３ａに対して、第１リングを構成する導体パターンとしての直線導体４１ｂを導体経路３１ｂや導体経路３３ｂなどの他の導体パターンと一緒に形成するように設計変更することも、本願発明と引用発明とは、「磁性体基体には、前記第１及び第２のインダクタ部品の間に位置する部分に実質的にループコイルが形成され」る点で一致しており、他のコモンモードチョークコイルに向かう磁束成分、すなわちクロストーク成分は主に第１磁性材料層（磁性体基体）を磁路として通過するものであることからして、第１リング（ループコイル）によるクロストーク成分の低減に関しては何ら不都合もないことは明らかであるから、導体パターン全体のパターニングのし易さ等を考慮して当業者であれば適宜なし得ることである。
　
　そして、本願発明が奏する効果についてみても、引用発明から当業者が予測できたものであって、格別顕著なものがあるとはいえない。 
　
　なお、請求人は審判請求書において、参考図（本発明を示す図Ａ、従来例である引用発明を示す図Ｂ）を示しつつ「本発明１は、上述したように、磁性体基体に形成されるループコイルの一部を構成する導体パターンが、第１及び第２の層より磁性体基体に近い位置に配置される第３の層に形成されているという構成（構成Ａ）を採用したことにより、ループコイルが平面スパイラル導体と同じ層に形成された導体パターンを含む従来例に比べ、遮断される本来磁束の量を低減することが可能になるという格別の効果を奏する発明である。」などと主張している。
　しかしながら、隣接する他のインダクタ部品（コモンモードフィルタ）に対してクロストークとなる磁束と同様、各インダクタ部品による本来磁束にあってもそのほとんどは、各インダクタ部品に対して磁路として働く磁性体基体（及び磁性体層Ｓ６ａ〜Ｓ６ｄ）を通過するにもかかわらず、上記参考図ではこのことを適切に反映したものではなく、さらに言えば、遮断される本来磁束の量について数値データとして比較がなされているわけでもないし、そもそも本願の発明の詳細な説明には、遮断される本来磁束の量を低減できることの記載は全くなされていないことから、本願発明と引用発明との間に遮断される本来磁束の量についての格別の差異があるとは認められない。
　なお、僅かに磁路である磁性体基体を通過しない磁束があり、この僅かな磁束に関して、本願発明は引用発明よりも遮断される本来磁束の量を低減できるとしても、低減できることは、直上の層に「直線導体（導電パターン）」を設けたことによる必然的な効果であり、格別のものではない。
　よって、請求人の上記主張は採用できない。
　
６．むすび
　以上のとおり、本願の請求項１に係る発明は、引用発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。